(57)【特許請求の範囲】
【請求項１】
建築物の壁部材として用いられるレリーフを用いた装飾用壁材であって、
透明な板材の裏側の面に画像を三次元的に彫刻することにより凹状のレリーフが模様として形成されたレリーフ板と、
前記レリーフ板の端面に接触して設けられ当該レリーフ板の透明部分を導光板として前記レリーフを照明するための照明光源と、
前記照明光源の外面を覆うように設けられ当該照明光源を前記レリーフ板に一体的に固定するための枠部材と、を有し、
前記レリーフは、バイトを用いて切削加工されることによってその表面がスリガラス状となったものであり、かつ、その一部の表面に溶剤が塗布されることにより表面粗さが小さくなって透明度が向上した高透明度部分が形成されてなる、
ことを特徴とするレリーフを用いた装飾用壁材。
【請求項２】
建築物の壁部材として用いられるレリーフを用いた装飾用壁材であって、
透明な板材の裏側の面に画像を三次元的に彫刻することにより凹状のレリーフが模様として形成されたレリーフ板と、
前記レリーフ板の端面に接触して設けられ当該レリーフ板の透明部分を導光板として前記レリーフを照明するための照明光源と、
前記照明光源の外面を覆うように設けられ当該照明光源を前記レリーフ板に一体的に固定するための枠部材と、を有し、
前記レリーフは、バイトを用いて切削加工されることによってその表面がスリガラス状となったものであり、かつ、その一部の表面粗さが小さくなって透明度が向上した高透明度部分が形成されてなり、
前記レリーフは、複数の部分レリーフを含んでおり、
１つの部分レリーフに対して、それよりも前記レリーフ板の中心に近い位置にあって当該１つの部分レリーフによって前記照明光源による照明光が遮られる関係にある他の部分レリーフがある場合に、当該１つの部分レリーフに対して前記高透明度部分が形成され、これによって前記他の部分レリーフはその少なくとも一部について前記照明光源からの照明光が前記高透明度部分を経由して到達するように構成されてなる、
ことを特徴とするレリーフを用いた装飾用壁材。
【請求項３】
前記レリーフは、その彫り深さが、前記レリーフ板の端部に近い部分については浅く中央に近い部分は深く形成されている、
請求項２記載のレリーフを用いた装飾用壁材。
【請求項４】
前記照明光源は複数の発光ダイオードであり、
前記複数の発光ダイオードは、前記レリーフ板の端面の全周に設けられてなる、
請求項１ないし３のいずれかに記載のレリーフを用いた装飾用壁材。
【請求項５】
前記発光ダイオードは、前記レリーフ板の端面の外周を取り囲む帯状のフレキシブルプリント基板に取り付けられており、
前記枠部材は、断面略コ字形に形成されて前記フレキシブルプリント基板の外周を囲みかつ前記レリーフ板の端縁部を挟み込むようにして取り付けられている、
請求項４記載のレリーフを用いた装飾用壁材。
【請求項６】
前記レリーフ板の裏側の面に接触して配置されて一体化されたバックアップ板を有する、
請求項１ないし５のいずれかに記載のレリーフを用いた装飾用壁材。
【請求項７】
複数の前記レリーフ板が、１枚のバックアップ板上にマトリクス状に配列され接合されて一体化されており、
前記複数のレリーフ板は、前記バックアップ板と接合された側の面に前記レリーフが形成されており、
前記照明光源は、複数のレリーフ板の全体の端面の外周に沿って設けられ、
前記複数のレリーフ板のうち、前記照明光源に直接に隣接するレリーフ板についてのレリーフに対して、表面粗さが小さくなって透明度が向上した高透明度部分が形成されてなる、
請求項１ないし５のいずれかに記載のレリーフを用いた装飾用壁材。
【発明の詳細な説明】
【技術分野】
【０００１】
本発明は、建築物の壁部材として用いられるレリーフを用いた装飾用壁材に関し、例えば、建築物の壁面、天井面、または床面に張り付ける壁材として、また、窓または扉などの一部として用いられる。
【背景技術】
【０００２】
従来において、住宅の室内または店舗やホテルの室内などに配置して装飾品として用いるために、三次元的に彫刻されたレリーフを用いた装飾品が種々提案されている。
【０００３】
例えば、彫刻した無色透明のパネル本体と、パネル本体とに間を置いて設置した色付透明のバックパネルからなり、バックパネルの色をパネル本体に反映させる構成の彫刻パネルが提案されている（特許文献１）。
【０００４】
また、光透過性を有する材料からなって画像が三次元的に彫刻されたレリーフ、および、レリーフの背面に配置されて画像を背面から照明するための照明装置からなる表示装置が提案されている（特許文献２）。
【０００５】
また、立体感をより一層得ることのできる三次元レリーフの製造方法が提案されている（特許文献３）。
【先行技術文献】
【特許文献】
【０００６】
【特許文献１】特開２００３−３２０７９７号公報
【特許文献２】特開２００８−２１３３３１号公報
【特許文献３】特開２００９−２６９１８１号公報
【発明の概要】
【発明が解決しようとする課題】
【０００７】
従来において、それらのレリーフを用いた装飾品はあくまで装飾品であり、その用途は、置物、掛け物、または写真や絵画の代替品などとして利用されるものであり、実用的な用途には適しない。
【０００８】
例えば、特許文献１の彫刻パネルにおいては、華麗さや豪華さなどの審美性を向上させることに重点が置かれている。そのため、パネル本体とバックパネルとを間隙をあけて配置する構造であり、強度的な点から実用品とはならない。また、彫刻パネルの奥行きが大きいため、建築物の壁部材として利用できない。
【０００９】
また、特許文献２の表示装置は、照明装置がレリーフの背面に配置され、画像を背面から照明する構造であるため、装置の厚さが大きくなり、また強度的な面からも建築物の壁部材としての利用には適さないものと言える。
【００１０】
本発明は、上述の問題に鑑みてなされたもので、レリーフを用いた装飾効果を維持しつつ、厚さが余り大きくなることなく、強度的に強い構造とすることができて建築物の壁部材として利用可能なレリーフを用いた装飾用壁材を提供することを目的とする。
【課題を解決するための手段】
【００１１】
本発明に係る装飾用壁材は、建築物の壁部材として用いられるレリーフを用いた装飾用壁材であって、透明な板材の裏側の面に画像を三次元的に彫刻することにより凹状のレリーフが模様として形成されたレリーフ板と、前記レリーフ板の端面に接触して設けられ当該レリーフ板の透明部分を導光板として前記レリーフを照明するための照明光源と、前記照明光源の外面を覆うように設けられ当該照明光源を前記レリーフ板に一体的に固定するための枠部材と、を有し、前記レリーフは、バイトを用いて切削加工されることによってその表面がスリガラス状となったものであり、かつ、その一部の表面に溶剤が塗布されることにより表面粗さが小さくなって透明度が向上した高透明度部分が形成されてなる。
【００１２】
また、前記レリーフは、複数の部分レリーフを含んでおり、１つの部分レリーフに対して、それよりも前記レリーフ板の中心に近い位置にあって当該１つの部分レリーフによって前記照明光源による照明光が遮られる関係にある他の部分レリーフがある場合に、当該１つの部分レリーフに対して前記高透明度部分が形成され、これによって前記他の部分レリーフはその少なくとも一部について前記照明光源からの照明光が前記高透明度部分を経由して到達するように構成される。
【００１３】
また、好ましくは、前記照明光源は複数の発光ダイオードであり、前記複数の発光ダイオードは、前記レリーフ板の端面の全周に設けられてなる。
【発明の効果】
【００１４】
本発明によると、レリーフを用いた装飾効果を維持しつつ、厚さが余り大きくなることなく、強度的に強い構造とすることができて建築物の壁部材として利用可能なレリーフを用いた装飾用壁材を提供することができる。
【図面の簡単な説明】
【００１５】
【図１】本発明に係る第１の実施形態の装飾用壁材の正面図および側面図である。
【図２】図１の装飾用壁材のＡ−Ａ線断面矢視図である。
【図３】図１の装飾用壁材のレリーフの一部を拡大して示す図である。
【図４】図１の装飾用壁材の照明装置の回路の例を示す図である。
【図５】本発明に係る第２の実施形態の装飾用壁材の正面図である。
【図６】本発明に係る第３の実施形態の装飾用壁材の側面図である。
【図７】本発明に係る第４の実施形態の装飾用壁材の正面図である。
【図８】第４の実施形態の装飾用壁材の一部を拡大して示す側面断面図である。
【図９】第４の実施形態の装飾用壁材に用いられる部分レリーフの例を示す正面図である。
【発明を実施するための形態】
【００１６】
〔第１の実施形態〕
図１には本発明に係る第１の実施形態の装飾用壁材１の正面図および側面図が示されている。また、図２には図１の装飾用壁材１のＡ−Ａ線断面矢視図が、図３にはレリーフ２１の一部を拡大して示す図が、図４には照明装置１２の回路の例が、それぞれ示されている。
【００１７】
図１において、装飾用壁材１は、建築物の壁部材として用いられるものであり、レリーフ板１１および照明装置１２を備える。
【００１８】
レリーフ板１１は、正面視が長方形の透明な板材の裏側の面に画像を三次元的に彫刻することにより凹状のレリーフ２１が形成されたものである。レリーフ２１の形成方法については、例えば上に述べた特許文献３などを参照することができる。
【００１９】
レリーフ板１１は、透明なアクリル樹脂またはポリカーボネイト樹脂などの合成樹脂、またはガラスなどを材料としたもので、サイズは、例えば、縦２００ｃｍ、横８４ｃｍ、厚さ１ｃｍ程度のものが用いられる。
【００２０】
図１に示す例では、レリーフ２１は、アクリル樹脂の板材に抽象的な曲線画像を彫刻したものである。しかし、これに限ることなく、任意の植物または動物などの自然物、自然風景、人工物、人工風景、人物、または地図などを画材とした、写真、イラスト、または絵画などに基づいて、レリーフ２１を形成してもよい。また、コンピュータグラフィックスまたはアニメーションなどで作製した原画像に基づいてレリーフ２１を形成してもよい。
【００２１】
照明装置１２は、レリーフ板１１の端面に接触して設けられ、当該レリーフ板１１の透明部分を導光板としてレリーフ２１を照明するためのものである。
【００２２】
図２において、レリーフ２１は、レリーフ板１１の厚さの最大５０〜９０パーセント程度の深さまで彫られており、彫られた部分は空間ＫＫとなっている。つまり、レリーフ板１１の厚さの０〜９０パーセント程度の範囲が、彫刻によって空間ＫＫとなっている。
【００２３】
なお、レリーフ２１の彫り深さを、レリーフ板１１の端部に近い位置か中央に近い位置かによって変えてもよい。
【００２４】
つまり、例えば、レリーフ板１１の端部に近くて照明装置１２に近い部分のレリーフ２１は、彫り深さを浅く（小さく）し、レリーフ板１１の中央に近く照明装置１２から遠い部分のレリーフ２１は、彫り深さを深く（大きく）する。このようにすれば、レリーフ板１１の中央に近く照明装置１２から遠い部分のレリーフ２１についても適度な照明光が到達し、必要な照明が行われる。
【００２５】
この場合に、レリーフ２１の彫り深さとして、彫り深さの平均値、彫り深さの中央値、または彫り深さの最大値などを用いてもよい。
【００２６】
レリーフ２１は、例えば、先端が円錐状となったバイトを回転させて切削を行うルータを用い、ルータによって切削加工される。これによって、切削された表面がスリガラス状（磨硝子状またはつやけしガラス状）となったものである。スリガラス状となった部分は、白濁した不透明または半透明の状態であり、この部分では光の乱反射が起こるので光の透過度は透明な場合よりも低い。
【００２７】
また、切削された表面の一部に溶剤が塗布されることにより、塗布された表面が溶解して表面粗さが小さくなり（滑らかになり）、透明度が向上した高透明度部分ＫＴが形成される。高透明度部分ＫＴは、白濁がなくなって透明度が増すので、光の透過度は高い。
【００２８】
溶剤（溶媒）の塗布に際しては、筆による塗布、スプレーによる吹き付けなどが行われる。溶剤として、シンナー、アルコ−ル、ジクロロメタン（二塩化メチレン）などの有機溶剤（有機溶媒）または接着剤などが用いられる。また、溶剤の塗布に代えて、刃先の微細なバイトを高速回転させたり、バフ仕上げ（バフ研磨）を行ってもよい。
【００２９】
レリーフ２１は、複数の部分画像に対応する複数の部分レリーフを含んでおり、１つの部分レリーフ（外レリーフ２１ａ）に対して、それよりもレリーフ板１１の中心に近い位置にあって当該１つの部分レリーフによって照明光源１２による照明光が遮られる関係にある他の部分レリーフ（内レリーフ２１ｂ）がある場合に、当該１つの部分レリーフに対して高透明度部分ＫＴが形成される。
【００３０】
複数の部分レリーフは、それぞれの少なくとも一部について、照明装置１２からの照明光が直接に到達しまたは高透明度部分ＫＴを経由して到達するように形成されてなる。
【００３１】
つまり、図１におけるレリーフ２１は、周辺に近い部分に枠状に設けられた外レリーフ２１ａ、および外レリーフ２１ａの内側に離れて設けられた内レリーフ２１ｂを含む。外レリーフ２１ａには照明装置１２からの光が直接に到達して十分な照明が行われるが、内レリーフ２１ｂには、照明装置１２からの光が外レリーフ２１ａにより遮られて十分な照明が行われないおそれがある。そこで、外レリーフ２１ａを高透明度部分ＫＴとすることにより、その部分の光の透過度を高め、内レリーフ２１ｂに十分な照明光が到達するようになっている。
【００３２】
図３に示される外レリーフ２１ａは高透明度部分ＫＴであり、照明によって透明な模様が視認される。
【００３３】
なお、複数の部分レリーフとして、図１に示す枠状の外レリーフ２１ａと内レリーフ２１ｂ以外に、独立して配置された種々の画像に基づいた複数の部分レリーフ、その他の部分レリーフなどであってもよい。
【００３４】
図４に示すように、照明装置１２は、フレキシブルプリント基板３１、多数の発光ダイオード３２、および枠部材３３からなる。
【００３５】
フレキシブルプリント基板３１は、レリーフ板１１の厚さとほぼ同じ幅寸法の帯状のものであり、レリーフ板１１の端面の外周を取り囲む長さである。その一端部からリード線が引き出され、リード線を経由して電源が供給される。枠部材３３が金属材料からなる場合に、または必要な場合に、フレキシブルプリント基板３１の発光ダイオード３２が取り付けられた側と反対側の面には、絶縁被膜が形成されるか、または絶縁のための帯状シートが貼り付けられる。
【００３６】
発光ダイオード３２は、白色の発光ダイオードであり、基板３１上に８〜１０ｍｍ程度のピッチで一列に配置され、半田付けなどによってフレキシブルプリント基板３１に取り付けられる。
【００３７】
発光ダイオード３２がレリーフ板１１の端面に接触する状態で、フレキシブルプリント基板３１によりレリーフ板１１の端面を取り囲んで配置する。このとき、適当な接着剤または両面テープなどによって仮接着しておいてもよい。
【００３８】
発光ダイオード３２が点灯すると、発光ダイオード３２が発する光はレリーフ板１１の端面から内部に入射し、レリーフ板１１の内部で反射を繰り返して他方の端面にまで到達する。つまり、レリーフ板１１は導光板として機能する。レリーフ板１１に入射した光は、その途中において、レリーフ２１の部分において乱反射し、レリーフ板１１の表面から射出する。これにより、レリーフ２１の模様が明るく照明された状態で外部から視認される。
【００３９】
レリーフ板１１の内部を伝搬する光は、レリーフ２１の部分において乱反射するので、レリーフ２１よりも遠方には伝達され難い。このとき、レリーフ２１が白濁した半透明の状態である場合は、白濁したレリーフ２１に当たった光はそれより遠方へはほとんど伝達されない。この場合に、レリーフ板１１の厚さのうちのレリーフ２１が形成されていない部分のみによって光が伝達される。そのため、照明装置１２から見て手前側にある外レリーフ２１ａは明るく照明されるが、外レリーフ２１ａが白濁していた場合にはそれにより陰になった遠方側にある内レリーフ２１ｂについては、光量が少なくなって明度が低下する。そこで、外レリーフ２１ａを高透明度部分ＫＴとすることにより、内レリーフ２１ｂについても適度な光量となって明度が保たれるのである。
【００４０】
なお、外レリーフ２１ａを高透明度部分ＫＴとする場合に、外レリーフ２１ａの全部を高透明度部分ＫＴとしてもよいが、その一部を高透明度部分ＫＴとしてもよい。
【００４１】
枠部材３３は、アルミニウムまたはステンレスなどの金属材料または合成樹脂材料などからなる帯材が断面略コ字形に形成されたものであり、フレキシブルプリント基板３１の外周を囲み、かつ、レリーフ板１１の端縁部を挟み込むようにして取り付けられる。
【００４２】
なお、照明装置１２をレリーフ板１１に固定するために、適当なネジ部材または止め部材を用いてもよい。
【００４３】
図４に示されるように、照明装置１２は、例えば、複数の発光ダイオード３２が直列接続され、そのような直列接続体が複数個並列接続される。各直列接続体の両端にリード線ＬＡ，ＬＢが接続され、電源装置ＤＧに接続される。電源装置ＤＧは、各発光ダイオードに一定の電流を供給するものであり、発光ダイオードに対する定電流源として動作する。電源装置ＤＧとして、スイッチング方式の安定化電源、またはバッテリーなどを用いることが可能である。
【００４４】
なお、発光ダイオード３２の接続方法、個数などはこれ以外の種々のものとすることができる。電源装置ＤＧについても、これ以外の直流電源を用いてもよい。また、電源装置ＤＧを装飾用壁材１の内部に内蔵してもよい。この場合に、商用電源への接続のためのコードおよびプラグを備えていてもよい。
【００４５】
このように構成された装飾用壁材１は、照明がない場合には、レリーフ板１１が透明であるため向こう側が透けて見え、レリーフ２１の部分は立体的な模様として見える。照明装置１２により照明されることにより、レリーフ２１のない部分は照明光が外部へ射出しないため照明のない状態（暗い状態）であるが、レリーフ２１がある部分では、レリーフ２１によって光が乱反射し、レリーフ２１の模様が照明された状態で外部から明るく視認される。
【００４６】
ここに示される装飾用壁材１は、建築物の壁面、天井面、または床面に張り付ける壁材として用いることができる。また、適当なアタッチメントなどを取り付けることにより、窓または扉などに用いることができる。
【００４７】
照明によって立体的に照らし出されるレリーフ２１が設けられているので、装飾効果が高く、インテリアなどの装飾用壁材として好適である。また、装飾用壁材１の周辺は、照明装置１２による間接照明が行われるので、装飾用壁材１を部屋の適所位置に配置することにより、部屋の全体の照明装置としても利用することが可能である。
【００４８】
また、レリーフ板１１の端面の外周に照明装置１２を設けているので、照明装置１２のために厚さが大きくなることがなく、また、強度的に強い構造とすることができる。
〔第２の実施形態〕
図５には本発明に係る第２の実施形態の装飾用壁材１Ｂの正面図が示されている。
【００４９】
図５において、装飾用壁材１Ｂは、レリーフ板１１および照明装置１２Ｂを備える。
【００５０】
レリーフ板１１Ｂは、正面視が長方形の透明な板材の裏側の面に画像を三次元的に彫刻することにより凹状のレリーフ２２が形成されたものである。
【００５１】
レリーフ板１１Ｂは、第１の実施形態と同様にアクリル樹脂などからなり、サイズは、縦１８０ｃｍ、横９０ｃｍ、厚さ１．２ｃｍ程度のものが用いられる。
【００５２】
図５に示す例では、レリーフ２２は、複数の部分レリーフ２２ａ，ｂ，ｃ…からなる。各部分レリーフ２２ａ，ｂ，ｃ…は、アクリル樹脂の板材に個別のオブジェを彫刻したものである。オブジェとして、例えば、薔薇の花、野菜、鳥、岩、乗物、雲、天体、抽象物、その他の画像などでよい。
【００５３】
照明装置１２Ｂは、第１の実施形態と同様にレリーフ板１１Ｂの端面の外周に沿って設けられ、部分レリーフ２２ａ，ｂ，ｃ…を照明する。
【００５４】
図５において、照明装置１２Ｂの下方部分１２Ｂｄから見ると、部分レリーフ２２ｐにより遮られて部分レリーフ２２ｎが陰になるので、部分レリーフ２２ｐは高透明度部分ＫＴとされている。部分レリーフ２２ｎは部分レリーフ２２ｄ，ｍによっても陰となるが、部分レリーフ２２ｐを高透明度部分ＫＴとすることにより、適度な光量が得られる。しかし、部分レリーフ２２ｄまたは部分レリーフ２２ｍを高透明度部分ＫＴとしてもよい。
【００５５】
また、照明装置１２Ｂの右方部分１２Ｂｂから見ると、部分レリーフ２２ｊによって部分レリーフ２２ｆが陰になるので、部分レリーフ２２ｊは高透明度部分ＫＴとされている。部分レリーフ２２ｆは部分レリーフ２２ｂによっても一部が陰となるが、部分レリーフ２２ｊを高透明度部分ＫＴとすることにより、適度な光量が得られる。しかし、部分レリーフ２２ｂを高透明度部分ＫＴとしてもよい。
【００５６】
部分レリーフ２２の他の部分については、照明装置１２Ｂの全周の部分１２Ｂａ〜ｄに対する陰とはならないので、高透明度部分ＫＴとしなくても適度な光量が得られる。しかし、他の適当な部分レリーフ２２、または全部の部分レリーフ２２を高透明度部分ＫＴとしてもよい。
【００５７】
このように、部分レリーフ２２ａ，ｂ，ｃ…のいずれかを選択的に高透明度部分ＫＴとすることにより、それぞれの明度を調整して装飾効果を高めることができる。
〔第３の実施形態〕
図６には本発明に係る第３の実施形態の装飾用壁材１Ｃの側面図が示されている。
【００５８】
図６において、装飾用壁材１Ｃは、レリーフ板１１Ｃ、照明装置１２Ｃ、およびバックアップ板１３を備える。
【００５９】
レリーフ板１１Ｃおよび照明装置１２Ｃは、第１および第２の実施形態で説明したものと同じである。
【００６０】
バックアップ板１３は、レリーフ板１１Ｃの裏側の面、つまりレリーフ２１が彫り込まれた側の面に接触して配置され、レリーフ板１１Ｃと一体化されている。バックアップ板１３の材料として、透明または不透明なアクリル樹脂またはポリカーボネイト樹脂などの合成樹脂、ガラス、アルミニウム合金などの金属、板材、またはスレート材などを用いることができる。バックアップ板１３の色は種々選択することができる。例えば、黒色とすると、照明されたレリーフ板１１Ｃのレリーフ２１が浮かび上がって見え、装飾効果が高い。レリーフ板１１Ｃとバックアップ板１３とを一体化するに際し、例えば、接着剤、ネジ、適当な金具などが用いられる。
【００６１】
装飾用壁材１Ｃによると、レリーフ板１１Ｃがバックアップ板１３により補強されて強度的にさらに強い構造となる。
【００６２】
また、レリーフ板１１Ｃに形成されたレリーフ２１がバックアップ板１３によって保護され、レリーフ２１を傷めたり埃が溜まったりすることが防止される。また、バックアップ板１３の端面に照明装置１２Ｃと同様な照明装置を取り付けることにより、バックアップ板１３を導光板として利用してレリーフ２１の照明を補助することも可能である。
〔第４の実施形態〕
図７には本発明に係る第４の実施形態の装飾用壁材１Ｄの正面図が、図８には装飾用壁材１Ｄの一部を拡大して示す側面断面図が、図９には装飾用壁材１Ｄに用いられる１つのレリーフ板の例が、それぞれ示されている。
【００６３】
図７ないし図９において、装飾用壁材１Ｄは、複数のレリーフ板１１Ｄ、照明装置１２Ｄ、およびバックアップ板１３Ｄを備える。
【００６４】
複数のレリーフ板１１Ｄは、１枚のバックアップ板１３Ｄ上にマトリクス状に配列されて一体化されている。各レリーフ板１１Ｄの材料および構成は、上に述べたレリーフ板１１と同様であり、それぞれ裏側の面つまりバックアップ板１３Ｄと接合される側の面にレリーフ２１が形成されている。
【００６５】
照明装置１２Ｄは、複数のレリーフ板１１Ｄの全体の端面の外周に沿って設けられ、それぞれのレリーフ板１１Ｄを照明する。
【００６６】
装飾用壁材１Ｄにおいて、照明装置１２Ｄに直接に隣接するレリーフ板１１Ｄのレリーフ２１を高透明度部分ＫＴとするのが好ましい。
【００６７】
装飾用壁材１Ｄは、サイズの小さいレリーフ板１１Ｄを用いて大きい装飾用壁材１Ｄを作成することができる。レリーフ２１の内容の異なるレリーフ板１１Ｄを組み合わせることにより、種々の異なる装飾効果を持つ装飾用壁材１Ｄを作成することができる。
【００６８】
装飾用壁材１Ｄは、例えば、天井面における天井板として、または床面における床タイルなどとして用いることができる。
【００６９】
第４の実施形態において、各レリーフ板１１Ｄごとに、その端面の外周に沿って照明装置１２を設けてもよい。
【００７０】
その他、レリーフ板１１，１１Ｂ〜Ｄ、照明装置１２、１２Ｂ〜Ｄ、バックアップ板１３、１３Ｄ、レリーフ２１，２２、または装飾用壁材１，１Ｂ〜Ｄの各部または全体の構成、構造、形状、個数、配置、回路などは、本発明の主旨に沿って適宜変更することができる。                                                                          
【符号の説明】
【００７１】
１，１Ｂ〜Ｄ  装飾用壁材
１１，１１Ｂ〜Ｄ  レリーフ板
１２、１２Ｂ〜Ｄ  照明装置（照明光源）
１３、１３Ｄ  バックアップ板
２１，２２  レリーフ
２１ａ  外レリーフ（部分レリーフ）
２１ｂ  内レリーフ（部分レリーフ）
２２ａ，ｂ，ｃ…  部分レリーフ
３１  フレキシブルプリント基板（照明光源）
３２  発光ダイオード（照明光源）
３３  枠部材
【図１】
0006535893.tif 000002
【図２】
0006535893.tif 000003
【図３】
0006535893.tif 000004
【図４】
0006535893.tif 000005
【図５】
0006535893.tif 000006
【図６】
0006535893.tif 000007
【図７】
0006535893.tif 000008
【図８】
0006535893.tif 000009
【図９】
0006535893.tif 000010